(57)【要約】  ディスク装置１００は、左右方向にスライド移動させることで、初期状態、ガイド規制状態、および移動規制解除状態を切り換え可能なスライドストッパ４２４と、ガイド規制状態および移動規制解除状態のスライドストッパ４２４を初期状態に戻る方向に付勢する第１の板ばね４１３Ｅおよび第２の板ばね４１３Ｆを備えた。このため、ガイド規制状態および移動規制解除状態以外においてスライドストッパ４２４を常に初期状態に戻すことができ、簡単な構成で初期状態、ガイド規制状態および移動規制解除状態を切り換えることができる。
2007046422.tif 000002
【特許請求の範囲】
【請求項１】
ディスク状の記録媒体を装置内部に案内するとともに、前記記録媒体が搬送される搬送経路に対して進退可能に設けられるガイド部材、および前記ガイド部材が前記記録媒体を案内する案内状態を切り換えるストッパ部材を備えた搬送手段と、
前記ガイド部材が所定の案内状態となるように、前記ストッパ部材を付勢する付勢手段と、
を具備したことを特徴とした搬送装置。
【請求項２】
請求項１に記載の搬送装置であって、
前記ストッパ部材は、前記記録媒体の径寸法に対応して移動される前記ガイド部材の移動状態に応じて移動可能で、前記ガイド部材の移動を前記記録媒体の径寸法に応じて規制し、
前記付勢手段は、前記ガイド部材を移動規制しない状態から前記ガイド部材を前記記録媒体の径寸法に応じた位置に移動規制する状態となるように前記ストッパ部材を付勢する
ことを特徴とした搬送装置。
【請求項３】
請求項１に記載の搬送装置であって、
前記ストッパ部材は、前記記録媒体を回転可能に保持するターンテーブルに前記記録媒体を保持させるカム部材を連動して移動可能で、前記カム部材の移動状態に応じて前記ガイド部材を前記記録媒体に対して接離移動させ、
前記付勢手段は、前記ガイド部材が前記記録媒体に近接する状態となるように前記ストッパ部材を付勢する
ことを特徴とした搬送装置。
【請求項４】
請求項１ないし請求項３のいずれかに記載の搬送装置であって、
前記ストッパ部材は、前記ガイド部材に係脱可能に設けられ、前記ガイド部材との係脱状態により前記ガイド部材の前記案内状態を切り換える
ことを特徴とした搬送装置。
【請求項５】
請求項１ないし請求項４のいずれかに記載の搬送装置であって、
前記ガイド部材はピン部材を備え、
前記ストッパ部材は、前記ピン部材を係脱可能な係合溝を備え、
前記付勢手段は、前記ピン部材を前記係合溝に係合させる状態または脱離させる状態のうちいずれか一方の状態に前記ストッパ部材を付勢する
ことを特徴とした搬送装置。
【請求項６】
請求項３または請求項４に記載の搬送装置であって、
前記ガイド部材はピン部材を備え、
前記ストッパ部材は、前記ピン部材に当接して前記ガイド部材を所定の方向に移動させる傾斜部を備え、
前記付勢手段は、前記ピン部材を前記傾斜部に係合させる状態または脱離させる状態のうちいずれか一方の状態に前記ストッパ部材を付勢する
ことを特徴とした搬送装置。
【請求項７】
請求項１ないし請求項６のいずれかに記載の搬送装置と、
前記記録媒体を処理可能な処理部と、
前記搬送装置、前記処理部を内部に収納するとともに前記記録媒体を出し入れ可能な出入口を備えた前記装置本体と、
を具備したことを特徴とした記録媒体駆動装置。
【発明の詳細な説明】
【技術分野】
【０００１】
本発明は、ディスク状記録媒体を挿入排出する搬送装置、および搬送装置が設けられた記録媒体駆動装置に関する。
【背景技術】
【０００２】
従来、装置内部に挿入されたディスクをアームで所定位置に案内するディスク状記録媒体を装置内部に格納可能なディスク装置が知られている。（例えば、特許文献１参照）。【０００３】
この特許文献１に記載のものは、外装筐体の前面近傍の側面にガイド体と、駆動手段によりディスクの挿入方向にスライドする第１のスライド部材および第２のスライド部材と、これらのスライド部材にディスク面と平行に回動する第１の揺動体および第２の揺動体が設けられたディスク装置である。このディスク装置では、ディスクが挿入されると、ディスクの外周縁により第１の揺動体および第２の揺動体が押されて外方に回動し、ディスクを装置内部に案内する構成が採られている。【０００４】
【特許文献１】特開２００３−１６７１０号公報（第８頁、図１ないし図７参照）
【発明の開示】
【発明が解決しようとする課題】
【０００５】
ところで、近年、径寸法の異なるディスク、例えば直径１２ｃｍの大径ディスクおよび直径８ｃｍの小径ディスクの双方を挿入可能なディスク装置が望まれている。しかしながら、径寸法の異なるディスクを保持するためには、それぞれに対応した動作が可能な構成が必要であり、特許文献１に記載のような従来の構成のディスク装置では、第１および第２の揺動体が単一の径寸法のディスクを搬送する動作をするため、このような複数の径寸法に対応することができない。また、径寸法の異なるディスクに対応して他の揺動体を設ける構成にすることも考えられるが、構成が複雑になり、装置のサイズも大きくなってしまうという問題が一例として挙げられる。【０００６】
本発明は、簡単な構成の搬送装置、および搬送装置を備えた記録媒体駆動装置を提供することを１つの目的とする。
【課題を解決するための手段】
【０００７】
本発明の搬送装置は、ディスク状の記録媒体を装置内部に案内するとともに、前記記録媒体が搬送される搬送経路に対して進退可能に設けられるガイド部材と、前記ガイド部材が前記記録媒体を案内する案内状態を切り換えるストッパ部材と、を備えた搬送手段と、前記ガイド部材が所定の案内状態となるように、前記ストッパ部材を付勢する付勢手段と、を具備したことを特徴とする。【０００８】
本発明の記録媒体駆動装置は、前述した本発明の搬送装置と、前記記録媒体を処理可能な処理部と、前記搬送装置、前記処理部を内部に収納するとともに前記記録媒体を出し入れ可能な出入口を備えた前記装置本体と、を具備したことを特徴とする。
【図面の簡単な説明】
【０００９】
【図１】本発明の一実施形態に係るディスク装置の装置本体内部を示す平面図である。
【図２】大径ディスクのディスク挿入初期時、およびディスク排出完了時におけるディスク装置の装置本体の内部を示す平面図である。
【図３】大径ディスクの搬送完了時におけるディスク装置の装置本体の内部を示す平面図である。
【図４】大径ディスクのクランプ完了時におけるディスク装置の装置本体の内部を示す平面図である。
【図５】小径ディスクのディスク挿入初期時、およびディスク排出完了時におけるディスク装置の装置本体の内部を示す平面図である。
【図６】小径ディスクの搬送完了時におけるディスク装置の装置本体の内部を示す平面図である。
【図７】小径ディスクのクランプ完了時におけるディスク装置の装置本体の内部を示す平面図である。
【符号の説明】
【００１０】
１      …ディスクとしての光ディスク
１Ａ    …ディスクとしての大径ディスク
１Ｂ    …ディスクとしての小径ディスク
１０    …装置本体
２４    …処理部としての情報処理部
３０    …搬送装置
３２    …搬送手段としてのリンク機構部
１００  …ディスク装置
４１３Ｅ…付勢手段としての第１の板ばね
４１３Ｆ…付勢手段としての第２の板ばね
４１４  …ガイド部材としての８ｃｍアーム
４１４Ａ…ピン部材としてのアーム規制ピン
４２３  …ガイド部材としてのリンクアーム
４２３Ｃ…ピン部材としての係合突起
４２４  …ストッパ部材としてのスライドストッパ
４２４Ａ…傾斜部としての傾斜当接部
４２４Ｇ１…係合溝としての切欠き
４２４Ｇ２…傾斜部としての規制傾斜部
４３１  …ガイド部材としてのアシストアーム
【発明を実施するための最良の形態】
【００１１】
以下、本発明の一実施形態を図面に基づいて説明する。図１は、本発明の一実施形態に係るディスク装置の内部の概略を示す平面図である。【００１２】
［ディスク装置の構成］
図１において、１００は、本発明の一実施形態に係る記録媒体駆動装置としてのディスク装置であり、このディスク装置１００は、着脱可能に装着されるディスクとしての光ディスク１における少なくとも一面に設けられた図示しない記録面に記録された情報を読み出す情報処理である読取処理や記録面へ各種情報を記録する情報処理である記録処理をする。このディスク装置１００は、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよい。また、このディスク装置１００は、光ディスク１として、直径１２ｃｍの大径ディスク１Ａと、直径８ｃｍの小径ディスク１Ｂとを収納することができる。なお、ディスク状記録媒体としては、光ディスク１に限らず、磁気ディスク、光磁気ディスクなどのいずれのディスク状記録媒体を対象とすることができる。そして、ディスク装置１００は、例えば金属製で内部空間を有する略箱形状の装置本体１０を備えて構成されている。なお、この装置本体１０において、図１中下側を装置本体の正面１０Ａ、図１中の装置本体１０の左側壁を左壁１０Ｂ、図１中の装置本体１０の右側壁を右壁１０Ｃ、装置本体１０の正面１０Ａの反対側を背面１０Ｄと適宜称する。【００１３】
装置本体１０の内部には、いわゆるトラバースメカ（Traverse Mechanism）と称されるディスク処理部２０と、光ディスク１を搬送する搬送装置３０と、図示しない制御回路部とが設けられている。そして、装置本体１０の正面１０Ａには、光ディスク１を挿入排出するための出入口としてのスロット１１が図１中左右方向に延びて形成されている。【００１４】
ディスク処理部２０は、例えば金属板にて略板状に形成され一端が揺動自在に装置本体１０に支持された台座部２１を有している。この台座部２１は、装置本体１０の左壁１０Ｂの正面１０Ａ側から、中心位置に向かって長手に形成されている。また、台座部２１には、長手方向に沿って、長手状の処理開口部２１Ａが略中央に切欠形成されている。そして、台座部２１の処理開口部２１Ａの一端側、すなわち装置本体１０の略中心位置に、ディスク回転駆動手段２２が配設されている。このディスク回転駆動手段２２は、図示しないスピンドルモータと、このスピンドルモータの出力軸に一体的に設けられたターンテーブル２３とを備えている。スピンドルモータは、制御回路部に制御可能に接続され、制御回路部から供給される電力により駆動する。ターンテーブル２３は、装置本体１０の内部の略中心部に設けられるとともに光ディスク１を回転駆動する駆動部である。【００１５】
また、台座部２１には、処理部としての情報処理部２４が配設されている。この情報処理部２４は、一対のガイドシャフト２５間に架橋する状態に支持されており、図示しない移動機構により処理開口部２１Ａ内でターンテーブル２３に対して近接離隔される。この情報処理部２４は、図示しない光源と、この光源からの光を収束するピックアップレンズ２４Ａと、光ディスク１で反射された出射光を検出する図示しない光センサとを有するピックアップを備えている。【００１６】
搬送装置３０は、装置本体１０に配設された、例えば制御回路部に動作制御される搬送モータ３１と、光ディスク１の挿入および排出の際にこれを駆動する搬送手段としてのリンク機構部３２とを備えている。【００１７】
リンク機構部３２は、装置本体１０の内部であってスロット１１の左壁１０Ｂ側に設けられたディスクガイド機構４１と、装置本体１０の内部であってスロット１１の右壁１０Ｃ側に設けられたディスク径検知機構４２と、ターンテーブル２３に配置された光ディスク１を排出するディスク排出機構４３と、台座部２１を揺動させる第１の駆動カム４４及び第２の駆動カム４５とを備えている。【００１８】
ディスクガイド機構４１は、光ディスク１の挿入および排出の際の搬送を案内するガイドレバー４１１と、このガイドレバー４１１の正面１０Ａ側に接続されるディスクガイド４１２と、ブリッジプレート４１３と、ブリッジプレート４１３に回動自在に設けられるガイド部材としての８ｃｍアーム４１４と、を備えている。【００１９】
ガイドレバー４１１は、光ディスク１の搬送方向に長手状に形成される棒状部材である。このガイドレバー４１１の側面には、内方側（光ディスク１が挿入される側）に、光ディスク１の搬送方向への移動を案内する合成樹脂製の案内部４１１Ａが固定されている。この案内部４１１Ａは、左壁１０Ｂ側に向かって凹状となる案内溝が形成されており、光ディスク１の周縁をこの案内溝に摺接させて案内する。また、案内部４１１Ａには、底部側に突出する回動規制ピン４１１Ｃが形成されている。さらに、このガイドレバー４１１の側面は、案内部４１１Ａに続く背面１０Ｄ側が、内方に向かって湾曲した形状に形成されており、光ディスク１の移動を規制している。【００２０】
そして、ガイドレバー４１１の背面１０Ｄ側の端部には、天面側から底面側に貫通するガイドピン４１１Ｂが固定されている。このガイドピン４１１Ｂは、後述するブリッジプレート４１３および８ｃｍアーム４１４に係止されている。また、ガイドレバー４１１の正面１０Ａ側端部は、ディスクガイド４１２が回動自在に接続されている。【００２１】
さらに、ガイドレバー４１１の正面１０Ａ側の端部には、左壁１０Ｂに対向して板ばね４１１Ｄが設けられている。この板ばね４１１Ｄは、ガイドレバー４１１が左壁１０Ｂ側に移動した際に、このガイドレバー４１１とディスクガイド４１２との接続部を内方側に付勢する。これにより、ガイドレバー４１１およびディスクガイド４１２の接続部が外方側に屈折することを防止している。【００２２】
ディスクガイド４１２は、長手状に形成され、一端部が装置本体１０の左壁１０Ｂ近傍に回動可能に取り付けられている。また、ディスクガイド４１２の他端部は前記したように、ガイドレバー４１１の一端部に回動可能に接続されている。これにより、ガイドレバー４１１の正面１０Ａ側端部は、ディスクガイド４１２の一端部を回動中心とし、ディスクガイド４１２の長さ寸法を径とした円弧上を回動運動可能となる。また、ディスクガイド４１２の底面側には、内方に突出するフランジ部４１２Ａが形成されており、このフランジ部４１２Ａに沿って、光ディスク１が挿入される際に光ディスク１の周縁部が摺接される摺接面４１２Ｂが形成されている。さらに、ディスクガイド４１２およびガイドレバー４１１の接続部は、光ディスク１を排出する際に、光ディスク１の周縁を正面１０Ａ側に押出す押出部４１２Ｃとなっている。【００２３】
ブリッジプレート４１３は、装置本体１０の背面１０Ｄ側に左右方向に亘って設けられる板状部材である。このブリッジプレート４１３は、前述した制御回路部の上方に覆うように設けられ、この制御回路部を保護している。そして、ブリッジプレート４１３の左壁１０Ｂ側には、装置本体１０の背面１０Ｄ側角部から内部中心位置に向かって案内ガイド溝４１５が形成されている。【００２４】
この案内ガイド溝４１５は、前記ガイドレバー４１１およびディスクガイド４１２の接続部の回動軌跡と略平行する形状に形成される円弧溝４１５Ａと、この円弧溝４１５Ａに連続して光ディスク１の搬送方向に略沿って伸びる直線溝４１５Ｂと、この直線溝４１５Ｂに連続して形成されるとともに、直線溝４１５Ｂに対して所定の角度だけ装置本体１０の中心位置方向に傾斜する傾斜溝４１５Ｃとを備えている。そして、この案内ガイド溝４１５には、ガイドレバー４１１の底面側に突出するガイドピン４１１Ｂが係止され、ガイドレバー４１１の移動を案内している。ここで、この直線溝４１５Ｂは、ターンテーブル２３から直線溝４１５Ｂの延長線上に下ろした垂線の長さが小径ディスク１Ｂの半径と略同一寸法となるように設定されている。【００２５】
また、ブリッジプレート４１３の右壁１０Ｃ側には、８ｃｍアーム４１４が回動可能に軸支されている。さらに、ブリッジプレート４１３の中心部および右壁１０Ｃ側には、８ｃｍアーム４１４の軸支位置を中心とした円弧状のアーム規制溝４１３Ａが形成され、８ｃｍアーム４１４の回動範囲を規制している。【００２６】
そして、ブリッジプレート４１３の右壁１０Ｃ側には、後述するディスク排出機構４３のアシストアーム４３１が回動可能に軸支され、このアシストアーム４３１の回動中心とした円弧状のアシスト規制溝４１３Ｂが形成されている。また、ブリッジプレート４１３の略中心には、アシストアーム４３１に噛合するイジェクトアーム４３２が回動可能に軸支されている。さらに、ブリッジプレート４１３の正面１０Ａ側には、左右方向に長手となる制御溝４１３Ｃが形成されている。【００２７】
また、ブリッジプレート４１３の左壁１０Ｂ側には、ばね制御窓４１３Ｄが開口形成されている。このばね制御窓４１３Ｄの背面１０Ｄ側には、正面１０Ａ側に向かって、付勢手段としての第１の板ばね４１３Ｅおよび第２の板ばね４１３Ｆが固定されている。第１の板ばね４１３Ｅは、ばね制御窓４１３Ｄの右壁１０Ｃ側に設けられ、第２の板ばね４１３Ｆは、ばね制御窓４１３Ｄの左壁１０Ｂ側に第１の板ばね４１３Ｅから所定間隔だけ離れて設けられている。ここで、これらの第１の板ばね４１３Ｅおよび第２の板ばね４１３Ｆは、光ディスク１が挿入されていない状態（初期状態）において、後述するストッパ部材としてのスライドストッパ４２４を左右方向のどちらにも付勢しない位置に設けられている。また、これらの第１の板ばね４１３Ｅおよび第２の板ばね４１３Ｆの離間距離は、スライドストッパ４２４の左右移動距離よりも短く設定されている。【００２８】
さらには、ブリッジプレート４１３のばね制御窓４１３Ｄの左壁１０Ｂ側には、プッシュアーム４１６が回動可能に軸支されている。このプッシュアーム４１６は、長手状に形成され長手一端部から軸支位置に向かってピン係止溝４１６Ａが形成されている。このピン係止溝４１６Ａには、ガイドレバー４１１のガイドピン４１１Ｂが案内ガイド溝４１５の円弧溝４１５Ａを移動する際に、案内部４１１Ａに形成された回動規制ピン４１１Ｃが挿通される。そして、ガイドレバー４１１がさらに左壁１０Ｂ側に移動して、回動規制ピン４１１Ｃによりピン係止溝４１６Ａが押されると、プッシュアーム４１６が左壁１０Ｂ側に回動する。また、プッシュアーム４１６の右壁１０Ｃ側には、底面側に突出してばね制御窓４１３Ｄに挿通される押え片４１６Ｂが形成されている。この押え片４１６Ｂは、プッシュアーム４１６の回動移動に応じてばね制御窓４１３Ｄ内を回動移動可能に設けられており、プッシュアーム４１６が最も左壁１０Ｂ側に回動した状態で、後述するスライドストッパ４２４のプッシュストッパ４２４Ｄに当接可能に設けられている。そして、押え片４１６Ｂにプッシュストッパ４２４Ｄが当接して回動移動が規制されることで、プッシュアーム４１６の回動も規制され、ガイドレバー４１１を左壁１０Ｂ側に移動させた状態（ガイド規制状態）で保持する。【００２９】
８ｃｍアーム４１４は、前述したように、ブリッジプレート４１３の右壁１０Ｃ側に回動可能に軸支されている。また、８ｃｍアーム４１４は、底部側に突出するピン部材としてのアーム規制ピン４１４Ａを備えており、このアーム規制ピン４１４Ａがブリッジプレート４１３のアーム規制溝４１３Ａに係止されている。さらに、８ｃｍアーム４１４の先端部には、この８ｃｍアーム４１４の長手に沿って形成されるガイドリンク溝４１４Ｂが形成されている。このガイドリンク溝４１４Ｂには、ガイドレバー４１１の天面側に突出するガイドピン４１１Ｂが係止されている。そして、８ｃｍアーム４１４の軸支位置近傍には、８ｃｍアーム４１４の左壁１０Ｂ側先端部を正面１０Ａ側に付勢するアーム付勢ばね４１４Ｃが設けられている。このアーム付勢ばね４１４Ｃにより８ｃｍアーム４１４は常に反時計周り方向に付勢されている。そして、この８ｃｍアーム４１４によりガイドレバー４１１は、ガイドピン４１１Ｂが案内ガイド溝４１５の傾斜溝４１５Ｃの先端部に位置する初期状態に戻るように付勢されている。【００３０】
ディスク径検知機構４２は、スロット１１に挿入された光ディスク１が大径ディスク１Ａである場合はディスクガイド機構４１のガイドレバー４１１の移動規制を解除し、光ディスク１が小径ディスク１Ｂである場合にはガイドレバー４１１の移動を規制するものである。【００３１】
具体的には、ディスク径検知機構４２は、一端部が光ディスク１と当接するとともに他端部側が装置本体１０に回動自在とされたロードアーム４２１と、このロードアーム４２１に連結されロードアーム４２１の回動角度が大きい場合にガイドレバー４１１の移動規制を解除しロードアーム４２１の回動角度が小さい場合にはガイドレバー４１１の移動を規制するアームリンク機構４２２とを備えている。【００３２】
ロードアーム４２１は、一端部に光ディスク１の周縁部に当接するローラ状の当接部４２１Ａが設けられ他端部が装置本体１０に回動自在に支持されている。このロードアーム４２１は、細長い矩形状の板部材で形成されており、その長手方向に沿ってガイド溝４２１Ｂが形成されている。また、ロードアーム４２１は、図示しない付勢手段により、図１に示すような初期位置に戻るように、時計回り方向に付勢されている。【００３３】
アームリンク機構４２２は、ガイド溝４２１Ｂに案内される突起４２３Ａが一端部に設けられた略平板状のガイド部材としてのリンクアーム４２３と、このリンクアーム４２３と一端部が連結された略平板状のストッパ部材としてのスライドストッパ４２４とを備えている。【００３４】
ロードアーム４２１及びリンクアーム４２３は、装置本体１０内の右壁１０Ｃ側にあり、かつ、ディスクガイド機構４１のガイドレバー４１１およびディスクガイド４１２が配置された平面と略同じ平面内に配置されている。【００３５】
リンクアーム４２３は、他端側において、装置本体１０に固定された回動軸４２３Ｂに対して回動自在に支持されており、回動軸４２３Ｂを挟んで突起４２３Ａと対向する位置にピン部材としての係合突起４２３Ｃがリンクアーム４２３に形成されている。また、リンクアーム４２３の係合突起４２３Ｃが設けられる端部には、図示しない付勢部材が設けられ、右壁１０Ｃ側に付勢している。これにより、ロードアーム４２１は、内方側、すなわち時計回りに付勢されている。【００３６】
スライドストッパ４２４は、ターンテーブル２３より背面１０Ｄ側において、ブリッジプレート４１３の底面部側に、図中左右方向に移動可能に配置されており、その右端部には、係合突起４２３Ｃに当接するとともに、光ディスク１の搬送方向に対して傾斜する傾斜部としての傾斜当接部４２４Ａが形成されている。そして、光ディスク１として大径ディスク１Ａが挿入され、ロードアーム４２１が回動すると、リンクアーム４２３も回動されて係合突起４２３Ｃが正面１０Ａ側に移動し、この係合突起４２３Ｃに当接する傾斜当接部４２４Ａが押されるため、スライドストッパ４２４が右壁１０Ｃ側にスライド移動する。また、スライドストッパ４２４には、ブリッジプレート４１３のアーム規制溝４１３Ａの一部を閉塞可能な規制ストッパ４２４Ｂが設けられている。この規制ストッパ４２４Ｂは、上記のように、ロードアーム４２１が回動してスライドストッパ４２４が右壁１０Ｃ側に移動すると、アーム規制溝４１３Ａを開放して８ｃｍアーム４１４のアーム規制ピン４１４Ａが移動可能な状態（移動規制解除状態）となる。一方、ロードアーム４２１が初期位置に戻り、スライドストッパ４２４が初期状態に戻ると、アーム規制溝４１３Ａを閉塞してアーム規制ピン４１４Ａが移動できない状態となる。これにより、８ｃｍアーム４１４に連結されたガイドレバー４１１の回動も規制され、ガイドレバー４１１も左壁１０Ｂ側に移動可能となる。【００３７】
また、スライドストッパ４２４の正面１０Ａ側には、第２の駆動カム４５のカムピン４５１が挿通されるカム連動溝４２４Ｃが形成されている。このカム連動溝４２４Ｃは左右方向に長手となるように形成され、この一部にカムピン４５１が挿通されて係合されている。すなわち、カム連動溝４２４Ｃとカムピン４５１との間には、所定距離の遊びが設けられている。これにより、第２の駆動カム４５が左壁１０Ｂ側に移動する場合、カムピン４５１がカム連動溝４２４Ｃの左端に当接するまでは、スライドストッパ４２４は移動せず、カムピン４５１がカム連動溝４２４Ｃの左端に当接して左壁１０Ｂ側に押し込むことでスライドストッパ４２４は左壁１０Ｂ側に移動する。【００３８】
さらに、スライドストッパ４２４の左壁１０Ｂ側には、プッシュストッパ４２４Ｄが設けられている。このプッシュストッパ４２４Ｄは、第２の駆動カム４５の移動によりスライドストッパ４２４が左壁１０Ｂ側に移動すると、プッシュアーム４１６の押え片４１６Ｂに当接され、プッシュアーム４１６の回動を規制する。【００３９】
そして、スライドストッパ４２４の略中心位置には、イジェクト規制窓４２４Ｅが開口形成されている。このイジェクト規制窓４２４Ｅは、左右方向に伸びる大径ディスク用イジェクト規制溝４２４Ｅ１と、小径ディスク用イジェクト規制溝４２４Ｅ２とを備えている。これらの大径ディスク用イジェクト規制溝４２４Ｅ１、および小径ディスク用イジェクト規制溝４２４Ｅ２には、第２の駆動カム４５の移動によりスライドストッパ４２４が左壁１０Ｂ側に移動すると、後述するアシストアーム４３１のイジェクト規制ピン４３１Ａが係合され、アシストアーム４３１の回動を規制する。また、これらの大径ディスク用イジェクト規制溝４２４Ｅ１、および小径ディスク用イジェクト規制溝４２４Ｅ２は端部がターンテーブル２３から離れる方向に傾斜して形成されており、イジェクト規制ピン４３１Ａがこの傾斜部に係合されることで、イジェクトアーム４３２と光ディスク１との間にクリアランスを確保することが可能となる。【００４０】
また、規制ストッパ４２４Ｂの右壁１０Ｃ側には、凹状の係合溝としての切欠き４２４Ｇ１が背面１０Ｄの右壁１０Ｃ側に向かって形成されている。この切欠き４２４Ｇ１は、小径ディスク１Ｂをターンテーブル２３にクランプする際に、アーム規制ピン４１４Ａが係止することで８ｃｍアーム４１４の移動を規制する。すなわち、小径ディスク１Ｂのクランプ時、スライドストッパ４２４が左壁１０Ｂ側に移動すると、この切欠き４２４Ｇ１も左壁１０Ｂ側に移動し、８ｃｍアーム４１４のアーム規制ピン４１４Ａが係合する。そして、スライドストッパ４２４がさらに左壁１０Ｂ側に移動すると、アーム規制ピン４１４Ａが切欠き４２４Ｇ１に沿って背面１０Ｄ側に移動するため、８ｃｍアーム４１４に連結されたガイドレバー４１１のガイドピン４１１Ｂも背面１０Ｄ側に案内ガイド溝４１５の円弧溝４１５Ａに沿って移動する。これにより、ガイドレバー４１１は円弧溝４１５Ａに沿って左壁１０Ｂ側に移動し、小径ディスク１Ｂとの間に所定のクリアランスが設けられた状態で位置決めされる（ガイド規制状態）。【００４１】
そして、スライドストッパ４２４の規制ストッパ４２４Ｂの背面１０Ｄ側には、光ディスク１の搬送方向に対して傾斜する傾斜部としての規制傾斜部４２４Ｇ２が形成されている。この規制傾斜部４２４Ｇ２は、大径ディスク１Ａがターンテーブル２３にクランプされる際に、アーム規制ピン４１４Ａが係合することで８ｃｍアームの移動を規制する。すなわち、大径ディスク１Ａのクランプ時、スライドストッパ４２４が左壁１０Ｂ側に移動すると、この規制傾斜部４２４Ｇ２も左壁１０Ｂ側に移動し、８ｃｍアーム４１４のアーム規制ピン４１４Ａが係合して傾斜に沿って背面１０Ｄ側に移動する。これにより、８ｃｍアーム４１４に連結されたガイドレバー４１１も円弧溝４１５Ａに沿って左壁１０Ｂ側に移動し、大径ディスク１Ａとの間に所定のクリアランスが設けられた状態で位置決めされる（ガイド規制状態）。【００４２】
また、スライドストッパ４２４の左壁１０Ｂ側には、プッシュストッパ４２４Ｄの近傍にばね係止突起４２４Ｆが形成されている。このばね係止突起４２４Ｆは、ブリッジプレート４１３のばね制御窓４１３Ｄの、第１の板ばね４１３Ｅおよび第２の板ばね４１３Ｆに挟まれる位置に設けられている。また、このばね係止突起４２４Ｆは、初期状態において、第１の板ばね４１３Ｅから付勢を受けない状態で、この第１の板ばね４１３Ｅに当接されている。そして、ロードアーム４２１の回動により、スライドストッパ４２４が右壁１０Ｃ側に移動して移動規制解除状態になると、ばね係止突起４２４Ｆは、第１の板ばね４１３Ｅを右壁１０Ｃ側に撓ませる。これにより、ばね係止突起４２４Ｆは第１の板ばね４１３Ｅから初期状態に戻る方向、すなわち左壁１０Ｂに向かう方向に付勢力を受ける。また、ロードアーム４２１が初期位置に戻ると、係合突起４２３Ｃが傾斜当接部４２４Ａから離れ、第１の板ばね４１３Ｅの付勢力によりばね係止突起４２４Ｆを左壁１０Ｂ側に付勢される。これにより、スライドストッパ４２４は再び左壁１０Ｂ側に移動して初期状態に戻る。【００４３】
また、第２の駆動カム４５が左壁１０Ｂ側に移動して、これに連動してスライドストッパ４２４が左壁１０Ｂ側に移動してガイド規制状態になると、ばね係止突起４２４Ｆは、第２の板ばね４１３Ｆを押し込んで左壁１０Ｂ側に撓ませる。これにより、ばね係止突起４２４Ｆは、第２の板ばね４１３Ｆから初期状態に戻る方向、すなわち右壁１０Ｃ側に向かう方向に付勢力を受ける。また、第２の駆動カム４５が右壁１０Ｃ側に移動すると、スライドストッパ４２４は、第２の板ばね４１３Ｆの付勢力により右壁１０Ｃ側に付勢され、右壁１０Ｃ側に移動する。【００４４】
ディスク排出機構４３は、光ディスク１をスロット１１に押出して排出する機構である。このディスク排出機構４３は、ガイド部材としてのアシストアーム４３１と、イジェクトアーム４３２とを備えている。【００４５】
アシストアーム４３１は、前述したように、ブリッジプレート４１３右壁１０Ｃ側に回動自在に設けられ、アシスト規制溝４１３Ｂに係合するイジェクト規制ピン４３１Ａを備えている。これにより、アシストアーム４３１は、アシスト規制溝４１３Ｂ内で回動範囲が規制されている。また、このイジェクト規制ピン４３１Ａは前記したように、イジェクト規制窓４２４Ｅに挿通されており、スライドストッパ４２４が移動して、大径ディスク用イジェクト規制溝４２４Ｅ１、または小径ディスク用イジェクト規制溝４２４Ｅ２に係合されることで、アシストアーム４３１の回動が規制される。さらに、アシストアーム４３１の左壁１０Ｂ側の一端部には、歯車４３１Ｂが形成されている。このアシストアーム４３１は図示しない付勢部材により反時計周り方向、すなわち歯車４３１Ｂが正面１０Ａ側に向かう方向に付勢されている。【００４６】
イジェクトアーム４３２は、前述したようにブリッジプレート４１３に回動可能に設けられ、ブリッジプレート４１３を挟んで底面側に位置する歯車部４３２Ａと、ブリッジプレート４１３の天面側に位置する長手状のアーム部４３２Ｂと、を備えている。歯車部４３２Ａは、アシストアーム４３１の歯車４３１Ｂに噛合しており、アシストアーム４３１の付勢力により、時計回り方向に付勢されている。この付勢力によりアーム部４３２Ｂが時計回り方向、すなわち光ディスク１をスロット１１に押し出す方向に付勢されている。また、アーム部４３２Ｂの先端部には、光ディスク１の周縁と当接するローラ状の当接部４３２Ｃが設けられている。さらに、イジェクトアーム４３２の回動中心に対してアーム部４３２Ｂとは反対側には、アーム制御突起４３２Ｄが形成されている。このアーム制御突起４３２Ｄは、イジェクトアーム４３２が回動すると、８ｃｍアーム４１４の側縁に当接する。【００４７】
第１の駆動カム４４及び第２の駆動カム４５には、それぞれ係合溝（図示せず）が形成されており、これらの係合溝に台座部２１の２つの側面に形成された係合カム突起（図示せず）がそれぞれ係合される。第１の駆動カム４４及び第２の駆動カム４５は、略長尺状に形成されており、図示しないモータ及び歯車機構により長手方向に沿って進退される。これにより、台座部２１はターンテーブル２３に装着された光ディスク１の記録面に近接離隔するように揺動される。【００４８】
リンクアーム４２３と第１の駆動カム４４とには、光ディスク１が大径ディスク１Ａである場合にターンテーブル２３へ送る光ディスク１の送り量を小さくし、光ディスク１が小径ディスク１Ｂである場合にターンテーブル２３へ送る光ディスク１の送り量を大きくするディスク送り用カム部５１が設けられている。【００４９】
このディスク送り用カム部５１は、リンクアーム４２３に設けられた突起部５２と、この突起部５２と係合され第１の駆動カム４４に形成されたカム溝５３とを備えている。【００５０】
カム溝５３は、大径ディスク１Ａを送るための第１カム溝５３Ａと、小径ディスク１Ｂを送るための第２カム溝５３Ｂと、これらの第１カム溝５３Ａ及び第２カム溝５３Ｂとの一端部で合流される共通カム溝５３Ｃとを備えて構成されている。第１カム溝５３Ａと第２カム溝５３Ｂとは、それぞれ第１の駆動カム４４の移動方向に延びて形成されている。【００５１】
第２の駆動カム４５は、第１の駆動カム４４に連結されており、この第１の駆動カム４４の進退移動に連動して左右方向に進退移動する。そして、光ディスク１の中心がターンテーブル２３の上に位置することを図示しないセンサが検出すると、第１の駆動カム４４が背面１０Ｄ側に移動して、第２の駆動カム４５が左壁１０Ｂ側に移動する。また、前述したように、第２の駆動カム４５は天面側に突出するカムピン４５１を備え、このカムピン４５１がスライドストッパ４２４のカム連動溝４２４Ｃに係合している。そして、第２の駆動カム４５の移動により、台座部２１は光ディスク１の記録面に対して近接し、ターンテーブル２３に対して光ディスク１がクランプされる。この状態で、ターンテーブル２３が回転し、光ディスク１に情報が記録及び／又は再生される。【００５２】
〔ディスク装置の動作〕
次に上記ディスク装置１００の動作について、図２ないし図７に基づいて説明する。図２は、大径ディスク１Ａを挿入した場合のディスク挿入初期時、および大径ディスクの排出完了時におけるディスク装置の装置本体の内部を示す平面図である。図３は、大径ディスク挿入完了時におけるディスク装置の装置本体の内部を示す平面図である。図４は、大径ディスクのクランプ完了時におけるディスク装置の装置本体の内部を示す平面図である。
図５は、小径ディスクを挿入した場合のディスク挿入初期時および小径ディスクの排出完了時におけるディスク装置の装置本体の内部を模式的に示す平面図である。図６は、小径ディスクを挿入した場合の、ディスク挿入完了時におけるディスク装置の装置本体の内部を示す平面図である。図７は、小径ディスクを挿入した場合の、クランプ完了時におけるディスク装置の装置本体の内部を示す平面図である。【００５３】
（大径ディスクの挿入）
図１に示すような初期状態のディスク装置１００にディスク径が１２ｃｍである大径ディスク１Ａを挿入する際のディスク装置の動作を説明する。初期状態のディスク装置１００のスロット１１から大径ディスク１Ａを挿入すると、図２に示すように、この大径ディスク１Ａの周縁部がロードアーム４２１の当接部４２１Ａを右壁１０Ｃ側に押して回動させる。これにより、リンクアーム４２３が反時計周りに回動し、係合突起４２３Ｃが正面１０Ａ側に移動するため、傾斜当接部４２４Ａが押しこまれてスライドストッパ４２４が右壁１０Ｃ側にスライド移動する。このスライドストッパ４２４の移動により、規制ストッパ４２４Ｂがブリッジプレート４１３のアーム規制溝４１３Ａから外れ、８ｃｍアーム４１４の回動範囲の制御が解除される、すなわち移動規制解除状態となる。また、スライドストッパ４２４が右壁１０Ｃ側に移動するため、ばね係止突起４２４Ｆは、ブリッジプレート４１３のばね制御窓４１３Ｄに設けられる第１の板ばね４１３Ｅを右壁１０Ｃ側に押し込んで撓ませる。【００５４】
この状態でさらに大径ディスク１Ａを奥に押し込むと、大径ディスク１Ａの側縁がディスクガイド４１２の摺接面４１２Ｂに当接して、ディスクガイド４１２を左壁１０Ｂ側に回動させる。また、ガイドレバー４１１も背面１０Ｄ側に押し込まれ、ガイドピン４１１Ｂが案内ガイド溝４１５の傾斜溝４１５Ｃおよび直線溝４１５Ｂから円弧溝４１５Ａに移動する。そして、ガイドピン４１１Ｂがこの円弧溝４１５Ａに沿って左壁１０Ｂ側に移動すると、ガイドレバー４１１は、大径ディスク１Ａの搬送方向と略平行な状態を維持したまま左壁１０Ｂ側に移動し、案内部４１１Ａにて大径ディスク１Ａの周縁部を案内する。この時、案内部４１１Ａの回動規制ピン４１１Ｃがプッシュアーム４１６のピン係止溝４１６Ａに係合され、プッシュアーム４１６も左壁１０Ｂ側に回動する。【００５５】
この時、大径ディスク１Ａの右端がロードアーム４２１の当接部４２１Ａを通過すると、リンクアーム４２３に設けられた付勢手段により、ロードアーム４２１は、初期位置に戻るように付勢される。これにより、ロードアーム４２１が内方側に回動して係合突起４２３Ｃが背面１０Ｄ側に移動する。そして、係合突起４２３Ｃが傾斜当接部４２４Ａから離れて移動規制が解除されると、スライドストッパ４２４は、第１の板ばね４１３Ｅの付勢力によりばね係止突起４２４Ｆが左壁１０Ｂ側に付勢され、再び初期状態に移動する。【００５６】
この後、図３に示すように、大径ディスク１Ａの中心部が、ターンテーブル２３上に移動してディスクの搬送が完了されると、ターンテーブル２３に大径ディスク１Ａがクランプされる。これには、大径ディスク１Ａの挿入により、図示しない挿入検出スイッチが押され、第１の駆動カム４４が正面１０Ａ側に移動する。この時、突起部５２が第１の駆動カム４４の第１カム溝５３Ａに挿通され、大径ディスク１Ａとの間にクリアランスが設けられた状態でロードアーム４２１の位置が固定される。また、第１の駆動カム４４の移動に連動して第２の駆動カム４５も左壁１０Ｂ側に移動する。そして、これらの第１の駆動カム４４および第２の駆動カム４５により台座部２１が天面側に移動し、図４に示すように、大径ディスク１Ａがクランプされる。【００５７】
この時、第２の駆動カム４５の移動により、カムピン４５１もカム連動溝４２４Ｃに沿って左壁１０Ｂ側に移動する。そして、カムピン４５１は、カム連動溝４２４Ｃの左端に当接すると、このカム連動溝４２４Ｃの左端を左壁１０Ｂ側に押し込む。これにより、スライドストッパ４２４が左壁１０Ｂ側に移動する。スライドストッパ４２４が所定寸法左壁１０Ｂ側に移動すると、ばね係止突起４２４Ｆが第２の板ばね４１３Ｆを左壁１０Ｂ側に押し込み撓ませる。【００５８】
また、スライドストッパ４２４の左壁１０Ｂ側への移動により、規制傾斜部４２４Ｇ２に８ｃｎアーム４１４のアーム規制ピン４１４Ａが係合する。すなわち、アーム規制ピン４１４Ａが規制傾斜部４２４Ｇ２の傾斜に沿って背面側に移動し、ガイドレバー４１１を左壁１０Ｂ側に移動し、大径ディスク１Ａとの間に所定寸法のクリアランスが設けられた状態で移動規制される（ガイド規制状態）。さらに、スライドストッパ４２４のプッシュストッパ４２４Ｄは、プッシュアーム４１６の押え片４１６Ｂを左壁１０Ｂ側に押し込み、ガイドレバー４１１をより確実に左壁１０Ｂ側に移動させて、その移動を規制する（ガイド規制状態）。【００５９】
また、スライドストッパ４２４の移動によりアシストアーム４３１のイジェクト規制ピン４３１Ａが大径ディスク用イジェクト規制溝４２４Ｅ１に係合され、イジェクトアーム４３２の当接部４３２Ｃも大径ディスク１Ａとの間に所定寸法のクリアランスが設けられた状態で移動が規制される（ガイド規制状態）。【００６０】
この後、利用者により例えば大径ディスク１Ａの情報を処理する旨の操作信号に入力されると、情報処理部２４は、大径ディスク１Ａの記録面に対して所定波長の光を照射して、情報処理を実施する。【００６１】
（大径ディスクの排出）
次に、大径ディスク１Ａを排出する動作を説明する。利用者により例えばイジェクトボタンが押されるなどすると、先ず、第１の駆動カム４４が背面１０Ｄ側に移動し、これに連動して第２の駆動カム４５も右壁１０Ｃ側に移動する。また、カムピン４５１も右壁１０Ｃ側に移動するため、スライドストッパ４２４を左壁１０Ｂ側に押さえつける応力がなくなる。従って、スライドストッパ４２４は、第２の板ばね４１３Ｆの付勢力によりばね係止突起４２４Ｆが右壁１０Ｃ側に付勢され、右壁１０Ｃ側に移動する。また、スライドストッパ４２４は、第２の板ばね４１３Ｆが初期位置、すなわち大径ディスク１Ａの搬送方向と平行となる位置に戻った後、第２の駆動カム４５のカムピン４５１がカム連動溝４２４Ｃの右端に当接して右壁１０Ｃ側に押し込み、図３のような初期状態に戻る。さらに、上記のようにスライドストッパ４２４が右壁１０Ｃ側に移動することで、プッシュストッパ４２４Ｄ、規制傾斜部４２４Ｇ２、およびイジェクト規制窓４２４Ｅも右壁１０Ｃ側に移動する。そして、第２の駆動カム４５が右壁１０Ｃ側に移動することで、ターンテーブル２３も底面側に移動して大径ディスク１Ａのクランプ状態が解除され、同時にガイドレバー４１１およびイジェクトアーム４３２の移動規制が解除されて、大径ディスク１Ａを保持する。そして、第１の駆動カム４４が背面１０Ｄ側に移動すると、ロードアーム４２１の移動規制も解除される。【００６２】
この後、イジェクトアーム４３２の付勢力により大径ディスク１Ａが正面１０Ａ側に押出される。そして、大径ディスク１Ａの左端縁がガイドレバー４１１およびディスクガイド４１２の接続部よりも正面１０Ａ側に排出されると、ディスクガイド４１２の押出部４１２Ｃが大径ディスク１Ａの周縁を正面１０Ａ側に押出し、大径ディスク１Ａが排出される。【００６３】
（小径ディスクの挿入）
次に、図１に示すような初期状態のディスク装置１００にディスク径が８ｃｍである小径ディスク１Ｂを挿入する際のディスク装置の動作を説明する。ディスク装置１００のスロット１１から小径ディスク１Ｂを挿入すると、図５に示すように、この小径ディスク１Ｂの周縁部がディスクガイド４１２を押し込んで左壁１０Ｂ側に回動させる。この時、ガイドレバー４１１も背面１０Ｄ側に押し込まれ、ガイドピン４１１Ｂが案内ガイド溝４１５の傾斜溝４１５Ｃから直線溝４１５Ｂに移動する。小径ディスク１Ｂをスロット１１の略中央部から挿入した場合、ロードアーム４２１は回動されないため、小径ディスク１Ｂの挿入開始時には、スライドストッパ４２４はスライド移動しない。【００６４】
そして、小径ディスク１Ｂは、図６に示すように、ガイドレバー４１１、ロードアーム４２１、およびイジェクトアーム４３２によりターンテーブル２３の上方に搬送される。小径ディスク１Ｂの中心部が、ターンテーブル２３上に搬送されると、搬送完了状態となり、ターンテーブル２３に小径ディスク１Ｂがクランプされる。これには、大径ディスク１Ａのクランプと同様、図示しない挿入検出スイッチが押され、第１の駆動カム４４および第２の駆動カム４５が移動することで、台座部２１が天面側に移動し、小径ディスク１Ｂがターンテーブル２３にクランプされる。【００６５】
この時、大径ディスク１Ａのクランプ時と同様、第２の駆動カム４５が左壁１０Ｂ側に移動して、カムピン４５１がスライドストッパ４２４のカム連動溝４２４Ｃの左端に当接すると、スライドストッパ４２４は、第２の駆動カム４５とともに左壁１０Ｂ側に移動する。スライドストッパ４２４が所定寸法左壁１０Ｂ側に移動すると、ばね係止突起４２４Ｆが第２の板ばね４１３Ｆを左壁１０Ｂ側に押し込み撓ませる。また、スライドストッパ４２４の切欠き４２４Ｇ１に、８ｃｍアーム４１４のアーム規制ピン４１４Ａが係合され、８ｃｍアーム４１４とリンクするガイドレバー４１１が、小径ディスク１Ｂとの間に所定寸法のクリアランスが設けられた状態で移動規制される（ガイド規制状態）。【００６６】
また、スライドストッパ４２４の移動によりアシストアーム４３１のイジェクト規制ピン４３１Ａが小径ディスク用イジェクト規制溝４２４Ｅ２に係合され、イジェクトアーム４３２の当接部４３２Ｃも小径ディスク１Ｂとの間に所定寸法のクリアランスが設けられた状態で移動が規制される（ガイド規制状態）。【００６７】
この後、利用者により例えば小径ディスク１Ｂの情報を処理する旨の操作信号に入力されると、情報処理部２４は、小径ディスク１Ｂの記録面に対して所定波長の光を照射して、情報処理を実施する。【００６８】
（小径ディスクの排出）
次に、小径ディスク１Ｂを排出する動作を説明する。利用者により例えばイジェクトボタンが押されるなどすると、大径ディスク１Ａの排出動作と同様に、先ず、第１の駆動カム４４が背面１０Ｄ側に移動し、これに連動して第２の駆動カム４５も右壁１０Ｃ側に移動する。また、カムピン４５１も右壁１０Ｃ側に移動するため、スライドストッパ４２４を左壁１０Ｂ側に押さえつける応力がなくなる。これにより、スライドストッパ４２４は、第２の板ばね４１３Ｆの付勢力で右壁１０Ｃ側に移動する。また、スライドストッパ４２４は、第２の板ばね４１３Ｆが初期位置に戻った後、第２の駆動カム４５のカムピン４５１がカム連動溝４２４Ｃの右端に当接し、右壁１０Ｃ側に押し込むことで、図５のような初期状態に戻る。さらに、上記のようにスライドストッパ４２４が右壁１０Ｃ側に移動することで、切欠き４２４Ｇ１、およびイジェクト規制窓４２４Ｅも右壁１０Ｃ側に移動する。そして、第２の駆動カム４５が右壁１０Ｃ側に移動することで、ターンテーブル２３も底面側に移動して小径ディスク１Ｂのクランプ状態が解除され、同時にガイドレバー４１１およびイジェクトアーム４３２の移動規制が解除されて、小径ディスク１Ｂを保持する。そして、第１の駆動カム４４が背面１０Ｄ側に移動すると、ロードアーム４２１の移動規制も解除される。この後、これらのガイドレバー４１１、イジェクトアーム４３２、ロードアーム４２１は、小径ディスク１Ｂを正面１０Ａ側に搬送し、正面１０Ａのスロット１１から押し出して排出する。【００６９】
〔ディスク装置の作用効果〕
上述したように、上記一実施形態のディスク装置１００では、スライドストッパ４２４は、左右方向にスライド移動させることで、初期状態、ガイド規制状態、および移動規制解除状態を切り換え可能に設けられている。そして、第１の板ばね４１３Ｅおよび第２の板ばね４１３Ｆは、ガイド規制状態および移動規制解除状態のスライドストッパ４２４を初期状態に戻る方向に付勢している。このため、スライドストッパ４２４の移動方向により、容易にガイド規制状態および移動規制解除状態を切り換えることができる。また、第１の板ばね４１３Ｅおよび第２の板ばね４１３Ｆにより、スライドストッパ４２４を初期状態に戻るように付勢するので、ガイド規制状態および移動規制解除状態以外においてスライドストッパ４２４を常に初期状態に戻すことができる。したがって、簡単な構成で初期状態、ガイド規制状態および移動規制解除状態を切り換えることができる。特に上記実施形態のように、薄型スロットインタイプのディスク装置１００では、部品点数が増大したり、光ディスク１を搬送する機構のサイズが大きくなったりすると、装置内部が圧迫されて薄型化が困難になるが、上記のような簡単な構成にすることで、ディスク装置１００の薄型化も実現できる。【００７０】
また、スライドストッパ４２４は、８ｃｍアーム４１４のアーム規制ピン４１４Ａとの係脱状態、リンクアーム４３３の係合突起４２３Ｃの係脱状態により、初期状態、ガイド規制状態および移動規制解除状態を切り換えている。このため、各状態を切り換えるために、複雑な構成が不要にでき、構成を簡単にできる。【００７１】
さらに、スライドストッパ４２４は、平板状に形成されているので、厚み寸法を抑えることができ、薄型化を実現できる。【００７２】
そして、第２の板ばね４１３Ｆは、ガイド規制状態において、スライドストッパ４２４の切欠き４２４Ｇ１または規制傾斜部４２４Ｇ２に係合された８ｃｍアーム４１４のアーム規制ピン４１４Ａを脱離させる方向に付勢している。このため、光ディスク１の排出時に、ターンテーブル２３が底面側に移動すると同時にスライドストッパ４２４を右壁１０Ｃ側に移動させることができ、ガイドレバー４１１、イジェクトアーム４３２を光ディスク１の保持が可能な位置に移動させることができる。すなわち、第２の板ばね４１３Ｆでスライドストッパ４２４のばね係止突起４２４Ｆを押出すだけの簡単な構成で、容易にガイドレバー４１１、イジェクトアーム４３２を移動させて光ディスク１を保持することができる。【００７３】
また、第１の板ばね４１３Ｅは、移動規制解除状態において、傾斜当接部４２４Ａに係合されてスライドストッパ４２４を右壁１０Ｃ側に押出す係合突起４２３Ｃが脱離すると、スライドストッパ４２４を左壁１０Ｂ側に付勢して初期状態に移動させる。このため、スライドストッパ４２４は、大径ディスク１Ａが挿入された際に、８ｃｍアームのアーム規制ピン４１４Ａの移動範囲を規制ストッパ４２４Ｂより背面１０Ｄ側となる範囲に規制することができる。すなわち、第１の板ばね４１３Ｅでスライドストッパ４２４のばね係止突起４２４Ｆを左壁１０Ｂ側に押出すだけの簡単な構成で、容易に８ｃｍアーム４１４に連結されるガイドレバー４１１の移動範囲を規制することができる。【００７４】
〔実施形態の変形〕
なお、本発明は、上述した一実施形態に限定されるものではなく、本発明の目的を達成できる範囲で以下に示される変形をも含むものである。【００７５】
例えば、上記実施形態では、板ばね４１３Ｅ，４１３Ｆは、ガイド規制状態および移動制御解除状態のスライドストッパ４２４を初期状態に戻るように付勢しているが、ガイド規制状態および移動制御状態のうちいずれかの一方の状態になるように付勢する構成としてもよい。【００７６】
また、背面１０Ｄ側から正面１０Ａ側に向かって延びる第１の板ばね４１３Ｅおよび第２の板ばね４１３Ｆを設ける構成としたが、これに限定されない。例えば、背面１０Ｄ側から１つの板ばねが正面１０Ａ側に向かって延出し、スライドストッパ４２４には、この板ばねを左右方向から挟んで２つのばね係止突起が形成されている構成としてもよい。この場合、スライドストッパ４２４が左壁１０Ｂ側に移動すると、板ばねに右壁１０Ｃ側のばね係止突起が当接して板ばねから右壁１０Ｃ側への付勢力を受ける。また、スライドストッパ４２４が右壁１０Ｃ側に移動すると、板ばねに左壁１０Ｂ側のばね係止突起が当接し、左壁１０Ｂ側への付勢力を受ける構成としてよい。【００７７】
さらに、スライドストッパ４２４に切欠き４２４Ｇ１および規制傾斜部４２４Ｇ２を設け、アーム規制ピン４１４Ａが係脱される構成を示したが、これに限定されない。例えば、スライドストッパ４２４が係合ピンを備え、８ｃｍアーム４１４の所定位置に設けられた係合溝に係合される構成としてもよい。【００７８】
また、付勢手段として第１および第２の板ばね４１３Ｅ，４１３Ｆを設ける構成を示したが、例えばスライドストッパ４２４の左右両端部にそれぞれコイルばねが突出して設けられ、これらのコイルばねが左壁１０Ｂ、右壁１０Ｃに当接して撓むことでスライドストッパ４２４に付勢力を付与する構成としてもよい。【００７９】
その他、本発明の実施の際の具体的な構造は、本発明の目的を達成できる範囲で他の構造などに適宜変更できる。【００８０】
〔実施形態の効果〕
上述したように、上記一実施形態のディスク装置１００では、スライドストッパ４２４は、左右方向にスライド移動させることで、初期状態、ガイド規制状態、および移動規制解除状態を切り換え可能に設けられている。そして、第１の板ばね４１３Ｅおよび第２の板ばね４１３Ｆは、ガイド規制状態および移動規制解除状態のスライドストッパ４２４を初期状態に戻る方向に付勢している。このため、スライドストッパ４２４の移動方向により、容易にガイド規制状態および移動規制解除状態を切り換えることができ、第１の板ばね４１３Ｅおよび第２の板ばね４１３Ｆにより、ガイド規制状態および移動規制解除状態以外においてスライドストッパ４２４を常に初期状態に戻すことができる。したがって、簡単な構成で初期状態、ガイド規制状態および移動規制解除状態を切り換えることができる。
【産業上の利用可能性】
【００８１】
本発明は、ディスク状記録媒体を挿入排出する搬送装置、および搬送装置が設けられた記録媒体駆動装置に関する。
【図１】
2007046422.tif 000003
【図２】
2007046422.tif 000004
【図３】
2007046422.tif 000005
【図４】
2007046422.tif 000006
【図５】
2007046422.tif 000007
【図６】
2007046422.tif 000008
【図７】
2007046422.tif 000009
【手続補正書】
【提出日】平成19年8月13日(2007.8.13)
【手続補正１】
【補正対象書類名】特許請求の範囲
【補正対象項目名】請求項１
【補正方法】変更
【補正の内容】
【請求項１】
ディスク状の記録媒体を装置内部に案内するとともに、前記記録媒体が搬送される搬送経路に対して進退可能に設けられるガイド部材と、前記ガイド部材が前記記録媒体を案内する案内状態を切り換えるストッパ部材と、一端部が前記記録媒体と当接するとともに他端部側が回動自在に設けられ、前記記録媒体の径寸法に対応して前記ストッパ部材による前記ガイド部材の前記案内状態を切り換えるロードアームとを備えた搬送手段と、
前記ガイド部材が所定の案内状態となるように、前記ストッパ部材を付勢する付勢手段と、
を具備したことを特徴とした搬送装置。
【手続補正２】
【補正対象書類名】特許請求の範囲
【補正対象項目名】請求項２
【補正方法】変更
【補正の内容】
【請求項２】
請求項１に記載の搬送装置であって、
前記ストッパ部材は、前記記録媒体の径寸法に対応して移動される前記ロードアームの移動状態に応じて移動可能で、前記ガイド部材の移動を前記記録媒体の径寸法に応じて規制し、
前記付勢手段は、前記ガイド部材を移動規制しない状態から前記ガイド部材を前記記録媒体の径寸法に応じた位置に移動規制する状態となるように前記ストッパ部材を付勢する
ことを特徴とした搬送装置。
【手続補正３】
【補正対象書類名】明細書
【補正対象項目名】０００２
【補正方法】変更
【補正の内容】
【０００２】
を提供することを１つの目的とする。
課題を解決するための手段
［０００７］
本発明の搬送装置は、ディスク状の記録媒体を装置内部に案内するとともに、前記記録媒体が搬送される搬送経路に対して進退可能に設けられるガイド部材と、前記ガイド部材が前記記録媒体を案内する案内状態を切り換えるストッパ部材と、一端部が前記記録媒体と当接するとともに他端部側が回動自在に設けられ、前記記録媒体の径寸法に対応して前記ストッパ部材による前記ガイド部材の前記案内状態を切り換えるロードアームとを備えた搬送手段と、前記ガイド部材が所定の案内状態となるように、前記ストッパ部材を付勢する付勢手段と、を具備したことを特徴とする。
［０００８］
本発明の記録媒体駆動装置は、前述した本発明の搬送装置と、前記記録媒体を処理可能な処理部と、前記搬送装置、前記処理部を内部に収納するとともに前記記録媒体を出し入れ可能な出入口を備えた前記装置本体と、を具備したことを特徴とする。
図面の簡単な説明
［０００９］
［図１］本発明の一実施形態に係るディスク装置の装置本体内部を示す平面図である。
［図２］大径ディスクのディスク挿入初期時、およびディスク排出完了時におけるディスク装置の装置本体の内部を示す平面図である。
［図３］大径ディスクの搬送完了時におけるディスク装置の装置本体の内部を示す平面図である。
［図４］大径ディスクのクランプ完了時におけるディスク装置の装置本体の内部を示す平面図である。
［図５］小径ディスクのディスク挿入初期時、およびディスク排出完了時におけるディスク装置の装置本体の内部を示す平面図である。
［図６］小径ディスクの搬送完了時におけるディスク装置の装置本体の内部を示す平面図である。
［図７］小径ディスクのクランプ完了時におけるディスク装置の装置本体の内部を示す平面図である。
符号の説明
［００１０］
１  …ディスクとしての光ディスク
【国際調査報告】
2007046422.tif 000010
2007046422.tif 000011